(57)【特許請求の範囲】
【請求項１】
換気孔に通気用部材を装着した換気枠体と、該換気枠体にヒンジを介して回動可能に支持され、前記換気孔を常時開放する方向に弾力的に付勢されて換気孔を開閉する遮蔽板体と、前記換気枠体に設けた案内部材に支持されると共に、前記遮蔽板体に係合して遮蔽板体を閉じる方向に回動させる操作部材と、前記換気枠体に設けられ、前記遮蔽板体が前記換気孔を閉じる閉鎖位置において遮蔽板体の係止部との係合および該係合の解除が可能な施錠部材とを備えた床下換気装置において、
前記操作部材は、長手方向に剛性を有し前記遮蔽板体の回動方向の面内で可撓、復元性を有する細長い棒状部材からなり、遮蔽板体がその係止部を前記施錠部材に係合されて閉鎖位置に固定されたときに、遮蔽板体との係合を解いて前記案内部材を通して前記換気枠体内に押し込まれる構成とされていることを特徴とする床下換気装置。
【請求項２】
前記遮蔽板体は、その上部が前記換気枠体の上部に支持されて上下方向に回動するように設けられ、前記案内部材と施錠部材とが換気枠体の下部に設けられていることを特徴とする請求項１に記載の床下換気装置。
【請求項３】
前記施錠部材は、内部に前記操作部材を挿通して支持する案内孔を有して前記案内部材を兼用していることを特徴とする請求項１または２に記載の床下換気装置。
【請求項４】
前記施錠部材は、一端側に操作軸部が設けられ、他端側に遮蔽板体の係止部に係合するフックを有し常時該フックが前記係止部と係合する側に弾力的に付勢されているフック軸部が設けられており、換気枠体に遮蔽板体の回動方向と同方向に回動するように支持されていることを特徴とする請求項１〜３のいずれかに記載の床下換気装置。
【請求項５】
前記操作部材は、遮蔽板体の回動支持側と反対側に設けた貫通孔に挿通されており、その一端側に前記施錠部材の操作軸部に着脱可能なグリップが取り付けられ、他端側に前記遮蔽板体に係合する係合頭部が設けられていることを特徴とする請求項４に記載の床下換気装置。
【請求項６】
前記施錠部材の操作軸部とこれに嵌合する前記グリップとには、それらのうちの一方に係合凹部が、他方に該係合凹部に嵌入する係合凸部が互いに係脱可能に設けられていることを特徴とする請求項５に記載の床下換気装置。
【発明の詳細な説明】
【０００１】
【発明の属する技術分野】
本発明は、建物の床下の開口部に装着されて屋内への外気流入の調節およびその遮断を行うために使用される床下換気装置に関するものである。
【０００２】
【従来の技術】
空気循環式の建物等においては、図７に示すように、布基礎２に設けられた切欠部３と土台４との間に形成される開口部５に床下換気装置６を装着すると共に小屋裏等に換気孔７を設けて、部屋ａの壁面と外壁面との間、部屋ａの壁面相互間、床下、小屋裏等の空間ｂに対する外気流入量の調節および外気流入の遮断を行い、部屋ａの冬期における保温性と夏期における放熱性を確保するように構成されている。
【０００３】
ところで、従来の床下換気装置６は、例えば、図８に示すように、換気枠主体８の換気孔８ａを網、ガラリ、スリット等の通気部材８ｂで覆ってなる換気枠体９と、該換気枠体９の下部にヒンジ１０を介して下端部（図８で左端部）を支持されて、上下方向に回動されて前記換気孔８ａを開閉する遮蔽板体１１と、該遮蔽板体１１の上端側（図８で右端側）に一端部を連結されると共に、他端部を前記換気枠主体８の上部中央に設けた貫通孔８ｃを通して換気枠体９の前側（建物１の外面側、図８で左側）に引き出されて、前記遮蔽板体１１をヒンジ１０を中心にして回動させる吊り紐１２と、前記遮蔽板体１１の上端側の左右の２個所（図８では１個にみ図示）に固定され遮蔽板体１１が換気孔８ａを閉鎖する位置に回動されたとき、換気枠主体８の上端部に設けた左右２個所（図８では１個所のみ図示）に設けた大径貫通孔８ｄに挿入され、固定片１３によって該大径貫通孔８ｄからの離脱を阻止される固定軸１４とを備えた構成となっている（実公平３−４１５２８号公報）。
【０００４】
【発明が解決しようとする課題】
しかし、前記従来の床下換気装置６では、換気枠体９の下端部に下端を支持した遮蔽板体１１の開閉を、遮蔽板体１１に一端を連結した吊り紐１２の他端を換気枠主体８の屋外側から引っ張って引き起こすことにより行うものであるから、遮蔽板体１１が閉じたときには、吊り紐１２の自由端側１２ａが換気孔８ａの前面に垂れ下がった状態になり、例えば、子供が吊り紐で遊んだり、種々の物が引っ掛かったりして、該吊り紐１２が切れる恐れがあると共に、換気枠体９の前面に垂れ下がっているので見栄えも悪い。また、遮蔽板体１１を下側に倒すように開くので、開いている間に遮蔽板体１１の上にゴミ等の異物がたまり、この異物が遮蔽板体１１と換気枠主体８との間に挟まって開閉の妨げになる。
さらに、遮蔽板体１１を閉じてその状態を維持する場合、前記固定軸１４の先端の係合溝１４ａに固定片１３の係合部１３ａを嵌入させて、固定軸１４が前記大径貫通孔８ｄから抜け出るのを防ぐ操作をする必要があるが、この操作が円滑に、容易に行えない不満もある。
【０００５】
本発明は、上記事情に鑑みてなされたもので、異物等によって遮蔽板体の開閉が妨げられることがなく、遮蔽板体の開閉操作、及びその固定操作を円滑、容易に行うことができる床下換気装置を提供することを目的とする。
また、本発明の他の目的は、遮蔽板体の開閉操作部材が損傷したり、換気枠体の前面に垂れ下がって見栄えを損なうことのない床下換気装置を提供することである。
【０００６】
【課題を解決するための手段】
本発明は、上記課題を解決するために、以下の点を特徴としている。
すなわち、請求項１に係る床下換気装置は、換気孔に通気用部材を装着した換気枠体と、該換気枠体にヒンジを介して回動可能に支持され、前記換気孔を常時開放する方向に弾力的に付勢されて換気孔を開閉する遮蔽板体と、前記換気枠体に設けた案内部材に支持されると共に、前記遮蔽板体に係合して遮蔽板体を閉じる方向に回動させる操作部材と、前記換気枠体に設けられ、前記遮蔽板体が前記換気孔を閉じる閉鎖位置において遮蔽板体の係止部との係合および該係合の解除が可能な施錠部材とを備えた床下換気装置において、
前記操作部材が、長手方向に剛性を有し前記遮蔽板体の回動方向の面内で可撓、復元性を有する細長い棒状部材からなり、遮蔽板体がその係止部を前記施錠部材に係合されて閉鎖位置に固定されたときに、遮蔽板体との係合を解いて前記案内部材を通して前記換気枠体内に押し込まれる構成としたことを特徴とする。
【０００７】
この床下換気装置においては、建物の床下に外気を流入させる場合は、施錠部材を操作してその遮蔽板体の係止部との係合を解除すると、遮蔽板体は、開放方向への付勢力により回動して、操作部材の他端側を回動方向に誘導しながら換気孔を開放していき、その開放の完了位置で操作部材の他端部と係合状態になる。
また、建物の床下への外気の流入を遮断する場合は、操作部材の一端側を案内部材を通して換気枠体の前面側に引き出すと、操作部材の他端部に伴われて遮蔽板体が開放方向への付勢力に抗して回動されて換気枠体の換気孔を閉鎖する位置に移動される。該閉鎖位置で遮蔽板体の係止部が施錠部材に係合して遮蔽板体が固定される。このとき、操作部材を案内部材を通して換気枠体内に押し込む。
【０００８】
前記構成の床下換気装置によれば、遮蔽板体の開閉を操作する操作部材が、その軸方向に剛性を有し、かつ遮蔽板体の回動方向に可撓、復元性を有する細長い棒状部材からなっているので、案内部材を通して操作部材を換気枠体の内外へ押し込み、引き出しする操作が円滑に行われる。このため、操作部材の換気枠体の外側への引き出しよって遮蔽板体による換気孔の閉鎖が容易に行われ、換気孔の閉鎖後に操作部材を換気枠体の内側に押し込むことによって容易に格納される。この格納時には、操作部材が換気枠体の前面に垂れ下がったりすることがなく、換気枠体の見栄えがよく、異物が引き掛かって破損する恐れもない。
【０００９】
請求項２に係る床下換気装置は、請求項１に係る床下換気装置において、遮蔽板体が、その上部が換気枠体の上部に支持されて上下方向に回動するように設けられ、前記案内部材と施錠部材とが換気枠体の下部に設けられていることを特徴とする。
この床下換気装置においては、遮蔽板体はその開放時に換気枠体の換気孔側の面が下になっており、その面にゴミ等の異物がたまることがないので、遮蔽板体と換気孔の閉鎖面との間に異物が挟まって遮蔽板体による換気孔の開閉に支障が生じることはない。
【００１０】
請求項３に係る床下換気装置は、請求項１または２に記載の床下換気装置において、施錠部材が、内部に操作部材を挿通して支持する案内穴を有して案内部材を兼用していることを特徴とする。
この床下換気装置においては、遮蔽板体の開閉時に長手方向に移動する操作部材を案内する案内孔を施錠部材が備えて操作部材の案内部材を兼用しているので、操作部材による遮蔽板体の開閉操作、および遮蔽板体の閉鎖位置での固定、固定解除の操作が円滑、容易に行えると共に、部品点数が少なくて済み、換気枠体の前面側の構成が簡素になる。
【００１１】
請求項４に係る床下換気装置は、請求項１〜３のいずれかに記載の床下換気装置において、施錠部材は、一端側に操作軸部が設けられ、他端側に遮蔽板体の係止部に係合するフックを有し常時該フックが前記係止部と係合する側に弾力的に付勢されているフック軸部が設けられており、換気枠体に遮蔽板体の回動方向と同方向に回動するように支持されていることを特徴とする。
この床下換気装置においては、遮蔽板体が換気孔を閉鎖する位置まで回動すると、自動的に遮蔽板体の係止部と施錠部材のフックとが係合して遮蔽板体の固定が行われ、また、操作軸部によって施錠部材を回動することにより前記固定が容易に解除される。
【００１２】
請求項５に係る床下換気装置は、請求項４に記載の床下換気装置において、操作部材は、遮蔽板体の回動支持側と反対側に設けた貫通穴に挿通されており、その一端側に施錠部材の操作軸部に着脱可能なグリップが取り付けられ、他端側に前記遮蔽板体に係合する係合頭部が設けられていることを特徴とする。
この床下換気装置においては、操作部材が前記貫通穴を介して遮蔽板体との繋がり関係を維持され、遮蔽板体の閉鎖時に、遮蔽板体は操作部材の係合頭部に確実に係合されて軽い力で閉鎖方向に回動される。しかも、操作部材はグリップによって引き出し、押し込みの操作がし易く、操作部材の押し込み時にはグリップが施錠部材に装着されるので、グリップで施錠部材を回動することによって施錠部材による遮蔽板体の固定が容易に解除される。
【００１３】
請求項６に係る床下換気装置は、請求項５に記載の床下換気装置において、施錠部材の操作軸部とこれに嵌合する前記グリップとには、それらのうちの一方に係合凹部が、他方に該係合凹部に嵌入する係合凸部が互いに係脱可能に設けられていることを特徴とする。
この床下換気装置においては、操作部材が換気枠体の内側に押し込まれたとき、グリップが施錠部材の操作軸部にしっかり保持されるので、グリップが不用意に操作部材から外れ、操作部材が換気枠体の外面側に突き出されるのを防止される。
【００１４】
【発明の実施の形態】
以下、本発明に係る床下換気装置の一実施の形態について添付図面を参照して説明する。
図１〜図６において、１５は本発明に係る床下換気装置の一実施の形態を示す。この床下換気装置１５は、前端（図１で左端）に外周フランジ１６ａを有し、内側に換気孔１６ｂを有する円筒状の換気枠体１６を備えている。該換気枠体１６の内側には、その軸方向の中間よりやや前端側寄りの位置に仕切板１７が一体に設けられ、該仕切板１７の後端側（図１で右端側）には、円筒状の換気筒部材１８が一体に設けられており、該換気筒部材１８の後端の内側フランジ１８ａには前記換気孔１６ｂと連通する円形状の換気開口１８ｂがあけられている。前記換気筒部材１８の外周には、図示しないが、断熱材が装着されている。
【００１５】
前記換気筒部材１８の上端部には、背面に断熱材１９ａを装着した円盤状の遮蔽板体１９がヒンジ２０を介して上下方向に回動可能に支持されており、該遮蔽板体１９は、下方に回動してその前面で前記換気開口１８ｂを閉鎖し、上方に回動して換気開口１８ｂを開放するようになっている。前記ヒンジ２０は、ヒンジピン２０ｃで相互に連結されているヒンジ部材２０ａ，２０ｂからなり、一方のヒンジ部材２０ａを前記仕切板１７と換気筒部材１８との内側の上端部に跨って固定され、他方のヒンジ部材２０ｂは前記遮蔽板体１９の上端部に固定されており、図示しないバネ等によって常時遮蔽板体１９がヒンジピン２０ｃを中心にして上方に回動するように弾力的に付勢されている。
【００１６】
そして、前記換気筒部材１８の外周の上端部にはストッパ２２が固定されており、遮蔽板体１９が上方に回動したとき、その傾斜した後端面２２ａに遮蔽板体１９の上端面１９ｂが当接して、遮蔽板体１９の一定以上の上方への回動が制限されるようになっている。
また、前記換気枠体１６には、その外周フランジ１６ａにフランジ部２３ａを装着して円形皿状のガラリ（通気用部材）２３が設けられており、該ガラリ２３には水平方向に沿う複数の通気スリット２３ｂが設けられている。通気用部材としては、前記ガラリ２３に代えて網体、多数のスリットや孔を設けた板部材等を使用してもよい。
【００１７】
前記換気枠体１６の仕切板１７の下端中央には、前記遮蔽板体１９が下方に回動して前記換気開口１８ｂを閉鎖し、換気筒部材１８の内部空間２１からなる前記換気孔１６ｂを閉じる位置に移動したときに、遮蔽板体１９をその位置に固定する施錠部材２４が、仕切板１７にあけた貫通穴１７ａに挿通して設けられている。
該施錠部材２４は、図３、図４に示すように、中央の円筒状部２４ａの前後（図１、図３、図４で左右）に互いに反対方向に延長して一体に形成された操作軸部２４ｂとフック軸部２４ｃとを有し、円筒状部２４ａの両端部（図４で上下端部）に一体に設けた支軸２４ｄ，２４ｄが、前記仕切板１７の貫通孔１７ａの両端部（図４で上下端部）に形成された円弧状の軸受部１７ｂに嵌合されている。
【００１８】
また、前記仕切板１７には、押さえ具２６がその基部側（図１、図３で右端部側）の上下に設けた係合フック２５ａ，２５ａを前記貫通穴１７ａに嵌合して取り付けられ、押さえ具２６の内部の両側（図４で上下側）に設けた案内板２６ａ，２６ａの基端部２６ｂが前記支軸２４ｄ，２４ｄの軸受部１７ｂと反対側に当接することにより、前記施錠部材２４が貫通穴１７ａから抜け出るのを阻止されて、前記支軸２４ｄ，２４ｄを中心にして上下方向（遮蔽板体１９の回動方向と同方向）に回動するようになっている。
前記押さえ具２６の内側の上下には、施錠部材２４の操作軸部２４ｂが水平状態から上方に一定角度だけ傾斜する範囲に施錠部材２４の回動範囲を規制する規制部２６ｃ，２６ｄが設けられている。
【００１９】
また、前記施錠部材２４の操作軸部２４ｂには、その前端に開口しかつ円筒状部２４ａの外周の開口２４ｅに連通する横断面が矩形状の軸孔（案内孔）２４ｆが設けられており、施錠部材２４のフック軸部２４ｃには、後端部の上側にフック２４ｇが、後端から下方に向けて下に凸に湾曲されたバネ片（バネ部材）２４ｈがそれぞれ設けられている。前記バネ片２４は、操作軸部２４ｂが押さえ具２６の下方の規制部２６ｄに当接するまで、常時前記施錠部材２４をそのフック２４ｇが上方に回動するように弾力的に付勢している。
【００２０】
そして、前記遮蔽板体１９の下端部には、前方側に向けて突出したフック部材（係止部）２７が設けられており、遮蔽板体１９が前記換気開口１８ｂを閉鎖したときに、フック部材２７の係止面２７ａが施錠部材２４のフック２４ｇの当接面２４ｉに係合して、遮蔽板体１９の上方への回動を阻止（固定）して上記閉鎖の状態を維持するようになっている。さらに、前記フック部材２７の前端下面には前側を上向きに傾斜する傾斜面２７ｂが設けられ、前記施錠部材２４のフック２４ｇの後部上面には後側を下向きに傾斜した傾斜面２４ｊが設けられ、遮蔽板体１９が下方に回動して上記閉鎖位置近くにフック部材２７が移動すると、フック部材２７の傾斜面２７ｂがフック２４ｇの傾斜面２４ｊに接触して、フック部材２７が、フック部２４ｇを前記バネ片２４ｈの付勢力に抗して押圧して施錠部材２４を図１、図３で時計方向に回動させることにより、前記閉鎖の状態に至って前記係止面２７ａと当接面２４ｉが係合するようになっている。
【００２１】
前記操作部材２４の軸孔２４ｆには、上方に回動状態にある前記遮蔽板体１９を下方に回動させて前記換気筒部材１８の換気開口１８ｂを閉鎖する位置へ移動させる断面矩形状の細長い棒状部材からなるワイヤー（操作部材）２８が挿通されている。
該ワイヤー２８は、軸方向に剛性を有し、上下方向（遮蔽板体１９の回動方向）に可撓、復元性を有する合成樹樹脂材料からなり、その後端側には軸部より太くされて遮蔽板体１９（断熱材１９ａ）の後端面１９ｃに当接する係合頭部２８ａを有し、前端側は、遮蔽板体１９の下端部に設けた挿通孔（貫通孔）１９ｄを通した後に、前記フック部材２７の近傍を経て前記開口２４ｅから操作部材２４の軸孔２４ｆ内に挿通させ、操作部材の２４の前端から外側に引き出されており、前端部には固定具２９を介してグリップ３０が取り付けられている。
【００２２】
前記グリップ３０は、前側の外部に指掛け用の凹部３０ａ，３０ａが設けられ、前側の内部に設けた段付き穴３０ｂに前記固定具２９が挿入されてその係合突起２９ａ，２９ａを介して固定されていると共に、後部の内部に前記施錠部材２４の操作軸部２４ｂに対し嵌脱される嵌合穴３０ｃが設けられている。そして、前記ワイヤー２８の前端部は、その係合凹部２８ｂを前記固定具２９の内側突起２９ｂに嵌合することにより、前記グリップ３０を一体的に取り付けている。
【００２３】
また、前記グリップ３０の嵌合穴３０ｃには、グリップ３０が操作軸部２４ｂに嵌合されたとき、操作軸部２４ｂに設けた係合溝（係合凹部）２４ｋに嵌入する突条（係合凸部）３０ｄが設けられており、グリップ３０の操作軸部２４ｂからの不用意な抜き出しを防止するようになっている。
なお、前記固定具２９には、前記段付き穴３０ｂへの挿入を弾力的に行わせるためのスリット２９ｃが設けられ、また、グリップ３０の後部の突条３０ｄ側には、該突条３０ｄを挟んで一対のスリット３０ｅが設けられており、突条３０ｄと操作軸部２４ｂの係合溝２４ｋとの係脱が弾力的に行えるようになっている。
前記係合溝２４ｋをグリップ３０の嵌合穴３０ｃに設け、突条３０ｄを操作軸部２４ｂに設けてもよい。
【００２４】
次に、前記構成の床下換気装置１５の作用について説明する。
前記床下換気装置１５は、従来の床下換気装置６と同様に建物１の布基礎２の切欠部３と土台４との間に形成される開口部５に、前記換気枠体１６を装着して使用する。
建物１の屋内に外気を流入させる場合には、図１に示すように、換気開口１８ｂ（換気孔１６ｂ）が遮蔽板体１９で閉鎖されている状態において、先ず、グリップ３０を掴んで施錠部材２４の操作軸部２４ｂを上方に回動させると、施錠部材２４のフック軸部２４ｃが下方に回動してフック２４ｇが遮蔽板体１９のフック部材２７との係合を解くので、図５に示すように、遮蔽板体１９は、ヒンジ２０の上方への付勢力でヒンジピン２０ｃを中心にして上方へ回動し、その上端面１９ｂがストッパー２２の後端面２２ａに当接して、やや下方に傾斜した状態で停止され、前記換気孔１６ｂの換気開口１８ｂを開放する。
【００２５】
その際、ワイヤー２８は、遮蔽板体１９の挿通孔１９ｄに誘導されて下に凸状に湾曲されていき、遮蔽板体１９の開放位置では、その係合頭部２８ａが遮蔽板体１９の後端面１９ｃに当接した状態となる。遮蔽板体１９は前記ヒンジ２０の上方への付勢力によって開放位置を保持されている。
なお、前記フック軸部２４ｃのフック２４ｇが遮蔽板体１９のフック部材２７との係合を解いたところで、グリップ３０から指を離すと、施錠部材２４は、バネ片２４ｈの付勢力で支軸２４ｄ，２４ｄを中心に反時計方向に回動して、操作軸部２４ｂの下面が押さえ具２６の下方の規制部２６ｄに当接して水平状態となり、フック２４ｇが遮蔽板体１９のフック部材２７に係合可能な状態になる。
【００２６】
前記遮蔽板体１９をその開放位置から閉鎖位置に回動させて、建物１の屋内への外気の流入を遮断する場合には、図５において施錠部材２４が２点鎖線で示す水平位置にある状態で、グリップ３０を掴んで施錠部材２４の操作軸部２４ｂから外し、操作軸部２４の軸穴２４ｆからワイヤー２８を引き出し、ヒンジ２０の上方への付勢力に抗して、遮蔽板体１９をヒンジピン２０ｃを中心にして下方へ回動させる。ワイヤー２８を水平方向に終端近くまで引き出すと、遮蔽板体１９のフック部材２７の前側の傾斜面２７ｂが施錠部材２４の傾斜面２４ｊに当接しながら、バネ片２４ｈの付勢力に抗して施錠部材２４を時計方向に（フック軸部２４ｃが下方へ）回動させ、ワイヤー２８が終端位置に引き出されたときには、前記フック部材２７がフック２４ｇを乗り越えて、その係止面２７ａとフック２４ｇの当接面２４ｉが自動的に係合して、図６に示すように、遮蔽板体１９が換気孔１６ｂの換気開口１８ｂを完全に閉鎖して固定された状態となる。
【００２７】
この後、グリップ３０を掴んで、ワイヤー２８を施錠部材２４の操作軸部２４ｂの軸孔２４ｆ内に押し込んでいき、グリップ３０をその嵌合穴３０ｃを介して操作軸部２４ｂにはめる。その際、操作軸部２４ｂの係合溝２４ｋにグリップ３０の突条３０ｄが嵌入してグリップ３０が操作軸部２４ｂにしっかり保持されるため、グリップ３０が操作部材２４から不用意に外れて換気枠体１６の前面側に突き出るのが防止される。そして、ワイヤー２８は、図１に示すように、グリップ３０と反対側の部分が貫通穴１９ｄを経て遮蔽板体１９（断熱材１９ａ）の後面から後方（図１で右側）へ突き出された状態となり、すなわち、ワイヤー２８は換気枠体１６の内側に押し込まれた状態となる。この状態では、遮蔽板体１９の開閉を操作するグリップ３０，ワイヤー２８、施錠部材２４は換気枠体１６の前面に突出することがない。
【００２８】
上記のように、実施の形態の床下換気装置１５においては、遮蔽板体１９がその上部を換気筒部材１８（換気枠体１６）の上部にヒンジ２０を介して上下方向に回動可能に支持されているので、遮蔽板体１９の開放時にその換気孔１６ｂ側の面が下になっており、その面にゴミ等の異物がたまることがなく、したがって、遮蔽板体１９と換気孔１６ｂの閉鎖面（換気筒部材１８の内側フランジ１８ａ）との間に異物が挟まって換気孔２１の開閉に支障を来すといった問題は生じない。
【００２９】
また、遮蔽板体１９の開閉を操作するワイヤー２８は、その軸方向に剛性を有し、かつ上下方向に可撓、復元性を有する細長い棒状部材からなっており、施錠部材２４の軸穴２４ｆを案内としてその中を通して引き出して遮蔽板体１９を下方へ回動させて換気孔１６ｂを閉鎖し、閉鎖後、前記軸孔２４ｆを通して押し込んで換気枠体１６の内側に納められるので、ワイヤー２８が換気枠体１６の前面に垂れ下がったりすることがなく、換気枠体１６の見栄えがよく、異物が引き掛かって破損する恐れもない。
【００３０】
また、施錠部材２４の軸孔２４ｆにワイヤー２８が挿通されて施錠部材２４とワイヤー２８とが１つの関連構成部材として組み立てられ、施錠部材２４がワイヤー２８の案内部材を兼ねていることにより、ワイヤー２８による遮蔽板体１９の開閉操作、および遮蔽板体１９の閉鎖位置での固定、および固定解除の操作が円滑、容易に行え、部品点数を少なくして、換気枠体１６の前面側の構成を簡素にしてその外観もすっきりさせることができる。
【００３１】
なお、前記実施の形態においては、換気枠体１６をその換気孔１６ｂ（換気開口１８ｂ）と共に正面視で略円形状に形成したが、換気枠体１６や換気孔２１の正面視形状は、これに限らず、換気枠体を四角形状にして換気孔を円形状にしてもよいし、換気枠体を円形状にして換気孔を四角形状に形成してもよいし、それぞれ、その他の形状であってもよい。
【００３２】
また、前記実施の形態においては、遮蔽板体１９の上部を換気枠体１６（換気筒部材１８）の上部に上下方向に回動可能に支持したが、これに限定されず、遮蔽板体１９の下部を換気枠体１６の下部に上下方向に回動可能に支持してもよく、遮蔽板体１９と換気枠体１６との支持位置は、それらの周方向における他の位置として、その回動方向も上下方向に限らず、他の方向であってもよい。その場合には、前記施錠部材２４、ワイヤー３０の仕切板１７に対する取付位置および遮蔽板体１９のフック部材の位置は、遮蔽板体１９と換気枠体１６との支持位置に対応して、その支持位置の反対側にすることは言うまでもない。
【００３３】
さらに、遮蔽板体１９の開閉操作、ワイヤー３０の換気枠体１６内への収納操作を行う際に、ワイヤー３０の引き出し、押し込み動作を案内するワイヤー２８の案内部材を施錠部材２４で兼用したが、兼用せずに施錠部材２４とは別に専用のワイヤー２８の案内部材を換気枠体１６の仕切板１７に設けてもよい。
なお、前記実施の形態では、通気用部材２３がステンレス鋼を用いて作製され、他の主な構成部材は種々の合成樹脂材料を用いて作製されているが、各構成部材の材料は上記のものに限定されず、他のものを使用してもよい。
【００３４】
【発明の効果】
以上説明したように、本発明に係る床下換気装置によれば、以下のような優れた効果を奏することができる。
すなわち、請求項１記載の発明によれば、遮蔽板体の開閉を操作する操作部材が、その軸方向に剛性を有し、かつ遮蔽板体の回動方向に可撓、復元性を有する細長い棒状部材からなっているので、案内部材を通して操作部材を換気枠体の内外へ押し込み、引き出しする操作を円滑に行うことができる。
したがって、操作部材の換気枠体の外側への引き出しによって遮蔽板体による換気孔の閉鎖を容易に行うことができると共に、換気孔の閉鎖後に操作部材を換気枠体の内側に押し込むことによって容易に格納することができる。しかも、その格納時には、操作部材が換気枠体の前面に垂れ下がったりすることがなく、換気枠体の見栄えがよく、異物が引き掛かって破損する恐れを無くすることができる。
【００３５】
請求項２に記載の床下換気装置によれば、遮蔽板体がその開放時に換気枠体の換気孔側の面が下になっており、その面にゴミ等の異物がたまることがないので、遮蔽板体と換気孔の閉鎖面との間に異物が挟まって遮蔽板体による換気孔の開閉に支障が生じるのを確実に防ぐことができる。
【００３６】
請求項３に記載の床下換気装置によれば、遮蔽板体の開閉時に長手方向に移動する操作部材を案内する案内孔を施錠部材が備えて操作部材の案内部材を兼用しているので、操作部材による遮蔽板体の開閉操作、および遮蔽板体の閉鎖位置での固定、固定解除の操作を円滑、容易に行うことができると共に、部品点数が少なくて済み、換気枠体の前面側の構成を簡素にすることができる。
【００３７】
請求項４に記載の床下換気装置によれば、遮蔽板体を換気孔を閉鎖する位置まで回動させると、自動的に遮蔽板体の係止部と施錠部材のフックとを係合して遮蔽板体の固定を行うことができ、また、操作軸部によって施錠部材を回動することにより前記固定を容易に解除することができる。
【００３８】
請求項５に記載の床下換気装置によれば、操作部材が貫通孔を介して遮蔽板体との繋がり関係を維持されるので、遮蔽板体の閉鎖時には、遮蔽板体を操作部材の係合頭部に確実に係合して軽い力で閉鎖方向に回動させることができる。しかも、操作部材はグリップによって引き出し、押し込みの操作がし易く、操作部材の押し込み時にはグリップを施錠部材に装着させることができるので、該グリップで施錠部材を回動することによって施錠部材による遮蔽板体の固定を容易に解除することができる。
【００３９】
請求項６に記載の床下換気装置によれば、操作部材が換気枠体の内側に押し込んだとき、グリップを施錠部材の操作軸部にしっかり保持させることができるので、グリップが不用意に操作部材から外れ、操作部材が換気枠体の外面側に突き出るのを確実に防止することができる。
【図面の簡単な説明】
【図１】  本発明に係る床下換気装置の一実施の形態を示す断面図である。
【図２】  図１のＸ矢視図である。
【図３】  図１のＹ部の拡大図である。
【図４】  図３のＺ−Ｚ断面図である。
【図５】  本発明に係る床下換気装置の一実施の形態において、遮蔽板体が開いた状態を示す説明図である。
【図６】  本発明に係る床下換気装置の一実施の形態において、遮蔽板体が閉じた状態を示す説明図である。
【図７】  床下換気装置が取り付けられた空気循環式の建物を説明する説明図である。
【図８】  従来の床下換気装置を示す斜視図である。
【符号の説明】
６，１５  床下換気装置            １６  換気枠体
１６ｂ  換気孔                    １７  仕切板
１８  換気筒部材                  １８ｂ  換気開口
１９  遮蔽板体                    １９ｄ  挿通孔（貫通孔）
２０  ヒンジ                      ２１  換気孔
２２  ストッパ                    ２３  通気用部材
２４  施錠部材                    ２４ｂ  操作軸部
２４ｃ  フック軸部                ２４ｆ  軸孔（案内孔）
２４ｇ  フック                    ２４ｈ  バネ片（バネ部材）
２４ｋ  係合溝（係合凹部）        ２６  押さえ具
２７  フック部材（係止部）        ２８  ワイヤー（操作部材）
２８ａ  係合頭部                  ２９  固定具
３０  グリップ                    ３０ｄ  突条（係合凸部）
【図１】
0003746963.tif 000002
【図２】
0003746963.tif 000003
【図３】
0003746963.tif 000004
【図４】
0003746963.tif 000005
【図５】
0003746963.tif 000006
【図６】
0003746963.tif 000007
【図７】
0003746963.tif 000008
【図８】
0003746963.tif 000009